(57)【要約】【課題】  通風抵抗の増加を抑制しつつ、ルーバの破損を抑制する。【解決手段】  複数のルーバ１１をリブ１３により連結する。これにより、ルーバ１１に外力が作用しても当該ルーバ１１が大きく撓むことを抑制でき得る。さらに、リブ１３の軸流ファン９側の端部１３Ｃをルーバ１１より軸流ファン９側に位置させる。これにより、ルーバ１１が軸流ファン９側に撓んだ場合には、ルーバ１１が中心部９Ｃに接触することなく、リブ１３が中心部９Ｃに接触する。リブ１３が中心部９Ｃに接触すると、ルーバ１１の撓み更に増大することが阻止されるので、当該ルーバ１１が大きく撓むことを抑制される。したがって、ルーバ１１の断面積を大きくすることなく、ルーバ１１の破損を抑制できるので、通風抵抗の増加を抑制しつつ、ルーバ１１の破損を抑制でき得る。【選択図】  図３
2015068957.tif 000002
【特許請求の範囲】
【請求項１】
電気部品を覆うカバーと、
前記カバーを貫通する気流を発生させる軸流ファンと、
前記軸流ファンから離間した位置に配設され、前記軸流ファンの軸方向に対して交差する方向に互いに平行に延びる複数のルーバと、
前記軸流ファンの中心部と対向する位置を通って前記ルーバの延び方向と交差する方向に延びたリブであって、複数の前記ルーバを連結するとともに、前記軸流ファン側の端部が前記ルーバより前記軸流ファン側に位置するリブと
を備え得ることを特徴とする電気機器。
【請求項２】
前記複数のルーバのうち前記中心部と対向する位置にあるルーバを第１ルーバとし、その他のルーバを第２ルーバとしたとき、
前記第１ルーバのうち前記軸方向と平行な部位の寸法は、前記第２ルーバのうち前記軸方向と平行な部位の寸法より大きいことを特徴とする請求項１に記載の電気機器。
【請求項３】
前記第１ルーバの前記軸流ファン側の端部は、前記第２ルーバの前記軸流ファン側の端部より前記軸流ファン側に位置していることを特徴とする請求項２に記載の電気機器。
【請求項４】
筒状に形成されて前記軸方向に延びるとともに、内部に前記複数のルーバを有するダクトを備え、
前記リブの延び方向両端は前記ダクトに連結されていることを特徴とする請求項１ないし３のいずれか１項に記載の電気機器。
【請求項５】
前記複数のルーバの延び方向両端は前記ダクトに連結されていることを特徴とする請求項４に記載の電気機器。
【請求項６】
複数の前記リブが設けられているとともに、当該複数のリブの延び方向は互いに平行であることを特徴とする請求項１ないし５のいずれか１項に記載の電気機器。
【請求項７】
前記ダクトのうち前記ルーバの延び方向両端側に対応する部位には、前記軸方向に窪んだ凹部が設けられていることを特徴とする請求項４又は５に記載の電気機器。
【請求項８】
前記ルーバの延び方向と前記リブの延び方向とは直交していることを特徴とする請求項１ないし７のいずれか１項に記載の電気機器。
【請求項９】
前記ルーバと前記リブとは樹脂にて一体成形されていることを特徴とする請求項１ないし８のいずれか１項に記載の電気機器。
【請求項１０】
請求項１ないし９のいずれか１項に記載の電気機器を適用した画像形成装置であって、
シートに画像を形成するとともに、前記電気部品の少なくとも一部をなす画像形成部と、
前記画像形成部を保持するとともに、前記軸流ファンが組み付けられたフレームと、
前記フレームを覆って外観意匠面を構成する意匠カバーであって、前記複数のルーバを有するとともに前記カバーをなす意匠カバーと
を備えることを特徴とする画像形成装置。
【発明の詳細な説明】
【技術分野】
【０００１】
本発明は、電気機器、及び当該電気機器を適用した画像形成装置に関する。
【背景技術】
【０００２】
例えば、特許文献１に記載の発明では、互いに異なる方向に延びる２種類のリブにより網目状の格子が構成されたガード板を備え、かつ、当該ガード板がファンモータ支持部に一体形成されている。
【先行技術文献】
【特許文献】
【０００３】
【特許文献１】特開２００４−１８３６４９号公報
【発明の概要】
【発明が解決しようとする課題】
【０００４】
近年、意匠的な要求等により、軸流ファンとルーバとを離間配置した構成を採用せざるを得ない場合がある。このような構成であると、ルーバに外力が作用すると、ルーバが大きく撓んで破損してしまうおそれがある。
【０００５】
なお、ルーバの断面積を大きくすれば、ルーバの破損を抑制できる。しかし、ルーバの断面積を大きくすると、通風抵抗が大きくなるので、通風量が大きく低下するおそれがある。
【０００６】
本発明は、上記点に鑑み、通風抵抗の増加を抑制しつつ、ルーバの破損を抑制することを目的とする。
【課題を解決するための手段】
【０００７】
本発明は、上記目的を達成するために、電気部品（５Ａ）を覆うカバー（８）と、カバー（８）を貫通する気流を発生させる軸流ファン（９）と、軸流ファン（９）から離間した位置に配設され、軸流ファン（９）の軸方向に対して交差する方向に互いに平行に延びる複数のルーバ（１１）と、軸流ファン（９）の中心部（９Ｃ）と対向する位置を通ってルーバ（１１）の延び方向と交差する方向に延びたリブであって、複数のルーバ（１１）を連結するとともに、軸流ファン（９）側の端部（１３Ｃ）がルーバ（１１）より軸流ファン（９）側に位置するリブ（１３）とを備え得ることを特徴とする。
【０００８】
複数のルーバ（１１）はリブ（１３）により連結されているので、本発明では、ルーバ（１１）に外力が作用しても当該ルーバ（１１）が大きく撓むことを抑制でき得る。
また、リブ（１３）の軸流ファン（９）側の端部（１３Ｃ）が、ルーバ（１１）より軸流ファン（９）側に位置しているので、仮に、ルーバ（１１）が軸流ファン（９）側に撓んだ場合には、ルーバ（１１）が中心部（９Ｃ）に接触することなく、リブ（１３）が中心部（９Ｃ）に接触する。
【０００９】
そして、リブ（１３）が中心部（９Ｃ）に接触すると、ルーバ（１１）の撓み更に増大することが阻止されるので、本発明では、当該ルーバ（１１）が大きく撓むことを抑制される。なお、中心部（９Ｃ）とは、ハブやファンモータ支持部等の軸流ファンの回転中心に位置する部位をいう。
【００１０】
以上のように、本発明では、ルーバ（１１）の断面積を大きくすることなく、ルーバ（１１）の破損を抑制できるので、通風抵抗の増加を抑制しつつ、ルーバ（１１）の破損を抑制でき得る。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】本発明の実施形態に係る画像形成装置１の外観斜視図である。
【図２】本発明の実施形態に係る画像形成装置１の側面図である。
【図３】軸流ファン９及び貫通口８Ａの断面図である。
【図４】貫通口８Ａの外側正面図である。
【図５】貫通口８Ａの内側裏面図である。
【図６】貫通口８Ａの内側斜視図である。
【発明を実施するための形態】
【００１３】
以下に説明する「発明の実施形態」は実施形態の一例を示すものである。つまり、特許請求の範囲に記載された発明特定事項等は、下記の実施形態に示された具体的手段や構造等に限定されるものではない。
【００１４】
本実施形態は、プリンタ等の画像形成装置に本発明を適用したものである。各図に付された方向を示す矢印等は、各図相互の関係を理解し易くするために記載したものである。本発明は、各図に付された方向に限定されるものではない。
【００１５】
少なくとも符号を付して説明した部材又は部位は、「複数」や「２つ以上」等の断りをした場合を除き、少なくとも１つ設けられている。以下、本発明の実施形態を図面と共に説明する。
【００１６】
（第１実施形態）
１．画像形成装置の構成
本実施形態に係る画像形成装置１は、図１に示すように、スキャナ部３及びプリンタ部５を備える。スキャナ部３は原稿等のシートに記載された内容を読み取る。プリンタ部５はシートに画像を形成する画像形成部５Ａを有する。
【００１７】
スキャナ部３はプリンタ部５の上方側に配設されている。スキャナ部３とプリンタ部５との間、つまりプリンタ部５の上面側には、画像形成が終了したシートが排出される排出部５Ｂが設けられている。なお、本実施形態に係る画像形成部５Ａは電子写真方式である。
【００１８】
電子写真方式の画像形成部５Ａは、露光器、現像ローラ、感光ドラム、転写ローラ及び定着器等の電気部品を有している。露光器は感光ドラムを露光して感光ドラムに静電潜像を形成する。現像ローラは感光ドラムに現像剤を供給して感光ドラムに現像剤像を担持させる。転写ローラはシートに現像剤像を転写させる。定着器は現像剤を加熱してシートに現像剤像を定着させる。
【００１９】
定着器等の画像形成部５Ａを構成する電気部品は、図２に示すように、メインフレーム７に保持されている。メインフレーム７は、略板状に構成された強度部材であって、画像形成部５Ａを挟んで水平方向両側（本実施形態では、左右両側）に配設されている。
【００２０】
メインフレーム７の側面、つまりメインフレーム７に対して画像形成部５Ａと反対側の両側面には意匠カバー８が設けられている。それら意匠カバー８は、メインフレーム７を側面側から覆って外観意匠面を構成する。
【００２１】
一対の意匠カバー８のうち一方側（本実施形態では右側）の意匠カバー８には、貫通口８Ａが設けられている。貫通口８Ａは、当該意匠カバー８を貫通してプリンタ部５の内側と外側とを連通させる。
【００２２】
メインフレーム７のうち貫通口８Ａに面する部位には、図３に示すように、軸流ファン９が設けられている。軸流ファン９は、貫通口８Ａを通して意匠カバー８を貫通する気流を発生させる。なお、本実施形態では、気流は内側から外側に向かって流通する。
【００２３】
軸流ファン９とは、空気が回転軸方向を通り抜けるファン（ＪＩＳ  Ｂ  ０１３２番号１０１２等参照）である。ファンモータ９Ａは軸流ファン９を回転させる。軸流ファン９の外縁側は取付フレーム９Ｂにより覆われている。ファンモータ９Ａは、放射状に延びるスポーク（図示せず。）を介してファンモータ９Ａに組み付けられている。
【００２４】
なお、本実施形態では、軸流ファン９、ファンモータ９Ａ及び取付フレーム９Ｂ等は一体化されて１つの部品（ユニット部品）として取り扱われる。以下、特段の断りをした場合を除き、当該ユニット部品を軸流ファン９と呼ぶ。
【００２５】
軸流ファン９から離間した位置であって貫通口８Ａ側には、複数のルーバ１１が設けられている。これらルーバ１１は、互いに平行に延びる帯板状の部材であって軸流ファン９の軸方向Ｌｏに対して交差する方向に延びる部材である。なお、本実施形態では、軸方向Ｌｏは意匠カバー８又はメインフレーム７と略直交する水平方向である。
【００２６】
複数のルーバ１１は、図４に示すように、軸方向Ｌｏと直交する水平方向（本実施形態では、前後方向）に延びているとともに、鉛直方向に並んで配列されている。このため、貫通口８Ａは、鎧窓状の開口部となる。
【００２７】
複数のルーバ１１は複数のリブ１３により連結されている。複数のリブ１３は、ルーバ１１の延び方向と交差する方向に延びている。つまり、本実施形態に係る複数のリブ１３は、ルーバ１１の延び方向と直交して互いに平行に上下方向に延びている。
【００２８】
複数のリブ１３のうち少なくとも１つのリブ１３（以下、第１リブ１３Ａともいう。）は、軸流ファン９の中心部９Ｃと対向する位置に設けられている。第１リブ１３Ａ以外のリブ１３Ｂ（以下、第２リブ１３Ｂともいう。）は、図５に示すように、第１リブ１３Ａを挟んで線対称の位置に設けられている。
【００２９】
少なくとも第１リブ１３Ａは、図３に示すように、その軸流ファン９側の端部１３Ｃが複数のルーバ１１より軸流ファン９側に位置するように構成されている。すなわち、第１リブ１３Ａは、軸方向Ｌｏと略平行な面を有するとともに、図６に示すように、意匠カバー８の内面からルーバ１１を越えて軸流ファン９側まで突出した壁状の部材である。
【００３０】
一対の第２リブ１３Ｂも意匠カバー８の内面からルーバ１１を越えて軸流ファン９側まで突出した壁状の部材である。なお、本実施形態では、一対の第２リブ１３Ｂは第１リブ１３Ａと合同又は相似な形状である。
【００３１】
図３に示すように、第１ルーバ１１Ａのうち軸方向Ｌｏと平行な部位の寸法Ｌ１は、第２ルーバ１１Ｂのうち軸方向Ｌｏと平行な部位の寸法Ｌ２より大きくなっている。そして、第１ルーバ１１Ａの軸流ファン９側の端部１１Ｃは、第２ルーバ１１Ｂの軸流ファン９側の端部１１Ｄより軸流ファン９側に位置している。
【００３２】
第１ルーバ１１Ａとは、複数のルーバ１１のうち中心部９Ｃと対向する位置にあるルーバ１１をいう。第２ルーバ１１Ｂとは、第１ルーバ１１Ａ以外のルーバ１１をいう。因みに、本実施形態では、中心部９Ｃと対向する位置にあるルーバ１１とは、ファンモータ９Ａと対向する位置にあるルーバ１１となる。
【００３３】
本実施形態に係る各ルーバ１１は、その延び方向と直交する断面形状が延び方向全域に渡って一定形状である。このため、各ルーバ１１は、その延び方向全域において、寸法Ｌ１が寸法Ｌ２より大きくなり、かつ、端部１１Ｃが端部１１Ｄより軸流ファン９側に位置している。因みに、各ルーバ１１の断面形状は、空気流れ下流端側に向かって厚み寸法が小さくなる翼形状である。
【００３４】
意匠カバー８の内面側には、図６に示すように、軸方向Ｌｏに延びる角筒状のダクト１５が設けられている。ダクト１５は、図３に示すように、貫通口８Ａの外縁から軸流ファン９側に延びている。そして、複数のルーバ１１及び複数のリブ１３は、ダクト１５の内部のうち貫通口８Ａ側に設けられている。
【００３５】
本実施形態では、複数のリブ１３、複数のルーバ１１及びダクト１５は、意匠カバー８と共に樹脂にて一体成形されている。このため、各リブ１３の延び方向両端及び各ルーバ１１の延び方向両端はダクト１５に連結された構成となる。なお、ダクト１５のうち第１ルーバ１１Ａの延び方向両端側に対応する部位には、図６に示すように、軸方向Ｌｏに窪んだ凹部１５Ａが設けられている。
【００３６】
２．本実施形態に係る画像形成装置の特徴
本実施形態では、複数のルーバ１１はリブ１３により連結されているので、ルーバ１１に外力が作用しても当該ルーバ１１が大きく撓むことを抑制でき得る。
【００３７】
また、リブ１３の軸流ファン９側の端部１３Ｃが、ルーバ１１より軸流ファン９側に位置しているので、ルーバ１１が軸流ファン９側に撓んだ場合には、ルーバ１１が中心部９Ｃに接触することなく、リブ１３が中心部９Ｃに接触する。
【００３８】
そして、リブ１３が中心部９Ｃに接触すると、ルーバ１１の撓み更に増大することが阻止されるので、本実施形態では、当該ルーバ１１が大きく撓むことを抑制される。
以上のように、本実施形態では、ルーバ１１の断面積を大きくすることなく、ルーバ１１の破損を抑制できるので、通風抵抗の増加を抑制しつつ、ルーバ１１の破損を抑制でき得る。
【００３９】
ところで、複数のルーバ１１は、その延び方向両端で支持された構成となるので、複数のルーバ１１のうち気流が流通する貫通口８Ａの中心に位置するルーバ、つまり中心部９Ｃと対向する位置にある第１ルーバ１１Ａが最も大きく撓む可能性がある。そして、最も大きく撓む可能性がある第１ルーバ１１Ａが最も破損の可能性が高いルーバ１１となる。
【００４０】
これに対して、実施形態では、第１ルーバ１１Ａのうち軸方向と平行な部位の寸法Ｌ１は、第２ルーバ１１Ｂのうち軸方向と平行な部位Ｌ２の寸法より大きいことを特徴としている。これにより、最も大きく撓む可能性がある第１ルーバ１１Ａの曲げ剛性を高めることができるので、ルーバ１１の破損を効果的に抑制でき得る。
【００４１】
そして、本実施形態では、第１ルーバ１１Ａの軸流ファン９側の端部１１Ｃが、第２ルーバ１１Ｂの軸流ファン９側の端部１１Ｄより軸流ファン９側に位置していることにより、寸法Ｌ１が寸法Ｌ２より大きくなっている。なお、寸法Ｌ１と寸法Ｌ２との差は約３ｍｍである。
【００４２】
これにより、外観意匠面に顕著な凹凸が生じさせることなく、最も大きく撓む可能性がある第１ルーバ１１Ａの剛性を高めることができる。なお、外観意匠面に顕著な凹凸が生じると、画像形成装置１の意匠性（デザイン性）を大きく損なうおそれがある。
【００４３】
本実施形態では、筒状に形成されて軸方向に延びるとともに、内部に複数のルーバ１１を有するダクト１５を備え、リブ１３の延び方向両端はダクト１５に連結されていることを特徴としている。
【００４４】
これにより、本実施形態では、リブ１３が大きく撓むことを抑制できるので、ルーバ１１の撓みが大きくなることを抑制できる。したがって、ルーバ１１の破損を確実に抑制でき得る。
【００４５】
本実施形態では、軸流ファン９により誘起された気流は、ダクト１５に導かれて貫通口８Ａから画像形成装置１外に排出される。つまり、誘起された気流は、排出される前に内部で拡散することなく外部に排出される。したがって、軸流ファン９の排気（換気）効率を低下させることなく、ルーバ１１の破損の抑制できる。
【００４６】
本実施形態では、複数のルーバ１１の延び方向両端はダクト１５に連結されていることを特徴としている。これにより、ルーバ１１の撓みが大きくなることを更に抑制できる。
本実施形態では、複数のリブ１３が設けられているとともに、当該複数のリブ１３の延び方向は互いに平行であることを特徴としている。これにより、ルーバ１１の破損を確実に抑制できる。
【００４７】
（その他の実施形態）
上述の実施形態では、第１ルーバ１１Ａの寸法Ｌ１を第２ルーバ１１Ｂの寸法Ｌ２より大きくしたが、本発明はこれに限定されるものではなく、寸法Ｌ１と寸法Ｌ２とを同一寸法とする、又は寸法Ｌ１を寸法Ｌ２より小さくする等としてもよい。
【００４８】
上述の実施形態では、複数のルーバ１１は水平方向に延び、かつ、複数のリブ１３は鉛直方向に延びていたが、本発明はこれに限定されるものではなく、例えば、複数のルーバ１１が鉛直方向の延び、かつ、複数のリブ１３は水平方向に延びていてもよい。
【００４９】
上述の実施形態では、リブ１３が複数設けられていたが、本発明はこれに限定されるものではなく、少なくとも中心部９Ｃに対向するリブ１３Ａが設けられていれば、十分である。
【００５０】
上述の実施形態では、第１ルーバ１１Ａの軸流ファン９側の端部１１Ｃが、第２ルーバ１１Ｂの軸流ファン９側の端部１１Ｄより軸流ファン９側に位置していたが、本発明はこれに限定されるものではなく、端部１１Ｃと端部１１Ｄとが軸流ファン９に対して同一の位置にあってもよい。
【００５１】
上述の実施形態では、複数の端部１１Ｃ全てが、複数の端部１１Ｄ全てに対して軸流ファン９側に位置していたが、本発明はこれに限定されるものではなく、複数の端部１１Ｃのうち少なくとも１つが、複数の端部１１Ｄのうち少なくとも１つに対して軸流ファン９側に位置していてもよい。
【００５２】
上述の実施形態ではダクト１５が設けられていたが、本発明はこれに限定されるものではなく、ダクト１５を廃止してもよい。
上述の実施形態では、複数のリブ１３、複数のルーバ１１及びダクト１５は、意匠カバー８と共に樹脂にて一体成形されていたが、本発明はこれに限定されるものではなく、これらを別々に成形した後、ねじ等の締結手段により組み付けて一体化してもよい。
【００５３】
上述の実施形態では、各リブ１３の延び方向両端及び各ルーバ１１の延び方向両端はダクト１５に連結されていたが、本発明はこれに限定されるものではない。
上述の実施形態では、画像形成装置１に本発明に係る電気装置を適用したが、本発明の適用はこれに限定されるものではなく、画像読取装置やインクジェット式の画像形成装置等のその他の電気装置にも適用できる。
【００５４】
また、本発明は、特許請求の範囲に記載された発明の趣旨に合致するものであればよく、上述の実施形態に限定されるものではない。
【符号の説明】
【００５５】
１… 画像形成装置  ３… スキャナ部  ５… プリンタ部
５Ａ… 画像形成部  ５Ｂ… 排出部  ７… メインフレーム  ８… 意匠カバー
８Ａ… 貫通口  ９… 軸流ファン  ９Ａ… ファンモータ  ９Ｂ… 取付フレーム
９Ｃ… 中心部  １１… ルーバ  １１Ａ… 第１ルーバ  １１Ｂ… 第２ルーバ
１３… リブ  １３Ａ… 第１リブ  １３Ｂ… 第２リブ  １５… ダクト
【図１】
2015068957.tif 000003
【図２】
2015068957.tif 000004
【図３】
2015068957.tif 000005
【図４】
2015068957.tif 000006
【図５】
2015068957.tif 000007
【図６】
2015068957.tif 000008